(57)【要約】【課題】取材対象事象の中から、価値のある有効な取材情報を確保することが可能な、取材支援装置及び取材用携帯端末装置を提供することを課題とする。【解決手段】サーバー３は取材対象場所に近い位置を検出した結果、この検出された位置の近傍に携帯端末１が現存しているか否かを検出する。この結果、検出された位置の近傍に携帯端末１が現存していると検出された場合は、前記近傍に現存している携帯端末１に向けて取材依頼情報を送信する。前記近傍に現存している携帯端末１は、この送信された取材依頼情報を受けて、この取材依頼情報に対応した取材を行いその取材に対応した取材情報をサーバー３へ送信する。サーバー３はこの取材情報に基づき編集し新聞記事等として、予め契約している携帯端末１へ配信する。【選択図】　　　図１
2004086694.tif 000002
【特許請求の範囲】
【請求項１】
取材対象場所に近い位置を検出する位置検出手段と、この位置検出手段により検出された位置の近傍に携帯端末が現存しているか否かを検出する携帯端末現存検出手段と、
この携帯端末現存検出手段により前記近傍に現存している携帯端末に向けて取材依頼情報を送信する送信手段と、
この送信手段により送信された取材依頼情報に対応した取材情報を受信する受信手段と、
を備えていることを特徴とする取材支援装置。
【請求項２】
ネットワークを介して複数の携帯端末と接続されている取材支援装置において、
前記複数の携帯端末のなかから一つの第１の携帯端末からの特定場所における現在の状況に関する状況情報の配信要求を受信する第１の受信手段と、
この第１の受信手段により受信された現在の状況に関する状況情報の配信要求に対応する特定場所の近傍に前記第１の携帯端末以外の第２の携帯端末が現存しているか否かを検出する携帯端末現存検出手段と、
この携帯端末現存検出手段により前記近傍に現存している第２の携帯端末に向けて現在の状況に関する取材依頼情報を送信する送信手段と、
この送信手段により送信された取材依頼情報に対応した取材情報を前記第２の携帯端末から受信する第２の受信手段と、
を備えていることを特徴とする取材支援装置。
【請求項３】
前記第２の受信手段により受信された現在の状況に関する取材情報に対応する報償金に関するデータを前記第２の携帯端末に向けて送信するように制御する第１の制御手段を更に備えていることを特徴とする請求項２記載の取材支援装置。
【請求項４】
前記受信手段により受信された取材情報に基づいて編集された編集内容を取材者端末および配信契約者端末のうち少なくとも一方に配信する配信手段を更に備えていることを特徴とする請求項１記載の取材支援装置。
【請求項５】
前記受信手段により受信された取材情報の価値判断を行い、この取材情報の価値判断結果に応じた報償金の支払い通知を金融機関の端末に向けて行うように制御する第１の制御手段を更に備えていることを特徴とする請求項１記載の取材支援装置。
【請求項６】
前記受信手段により取材情報を受信するに先だって、インターネット上に取材者募集用ホームページを掲載するように制御する第２の制御手段を更に備えていることを特徴とする請求項１記載の取材支援装置。
【請求項７】
前記受信手段により取材情報を受信するに先だって、インターネット上に取材者募集用ホームページを掲載した後に、取材希望者の端末から応募された応募データを含む送信データを受信するように制御する第３の制御手段を更に備えていることを特徴とする請求項１記載の取材支援装置。
【請求項８】
前記受信手段により取材情報を受信するに先だって、インターネット上に取材者募集用ホームページを掲載した後に、取材希望者の端末から応募された応募データを含む送信データに基づいて取材適格を判断し、この判断により取材者登録を行った後、登録者登録済み関連情報を送信するように制御する第４の制御手段を更に備えていることを特徴とする請求項１記載の取材支援装置。
【請求項９】
前記受信手段により取材情報を受信するに先だって、インターネット上に取材者募集用ホームページを掲載した後に、取材希望者の端末から応募された応募データを含む送信データに基づいて取材適格を判断し、この判断により取材者登録を行った後、取材者登録済み関連情報を送信し、この送信の前後に、登録済み取材者を含む一般第三者の端末からの取材対象情報を受信するように制御する第５の制御手段を更に備えていることを特徴とする請求項１記載の取材支援装置。
【請求項１０】
前記受信手段により取材情報を受信するに先だって、インターネット上に取材者募集用ホームページを掲載した後に、取材希望者の端末から応募された応募データを含む送信データに基づいて取材適格を判断し、この判断により取材者登録を行った後、取材者登録済み関連情報を送信し、この送信の前後に、登録済み取材者を含む一般第三者の端末からの取材対象情報を受信するように制御する第５の制御手段を更に備えており、
前記位置検出手段は、前記第５の制御手段の制御により受信した取材対象情報に対応する場所を前記取材対象場所とし、この取材対象場所に近い位置を検出する位置検出手段を備えていることを特徴とする請求項１記載の取材支援装置。
【請求項１１】
取材支援端末から送信された取材依頼情報を受信する受信手段と、
この受信手段により受信された取材依頼情報に従って取材を行い、この取材結果である取材情報を前記取材支援端末に向けて送信する送信手段と、
を備えていることを特徴とする取材用携帯端末装置。
【請求項１２】
ネットワークを介して取材支援端末と接続されている取材用携帯端末装置において、
特定場所における現在の状況に関する状況情報の配信要求を送信する送信手段と、
この送信手段により送信された現在の状況に関する状況情報に対応した取材情報を前記取材支援端末から受信する受信手段と、
を備えていることを特徴とする取材用携帯端末装置。
【請求項１３】
前記受信手段により受信された現在の状況に関する取材情報に対応する対価に関するデータを前記取材支援端末に向けて送信するように制御する第１の制御手段を更に備えていることを特徴とする請求項１２記載の取材用携帯端末装置。
【請求項１４】
前記送信手段により取材情報を送信後、この送信した取材情報に対応した報償金の支払い通知を、金融機関の端末および取材支援端末のうち少なくとも一方から受信するように制御する第１の制御手段を更に備えていることを特徴とする請求項１１記載の取材用携帯端末装置。
【請求項１５】
前記受信手段により取材依頼情報を受信するに先だって、インターネット上に掲載されている取材者募集用ホームページを取材支援端末から受信するように制御する第２の制御手段を更に備えていることを特徴とする請求項１１記載の取材用携帯端末装置。
【請求項１６】
前記受信手段により取材依頼情報を受信するに先だって、インターネット上に掲載されている取材者募集用ホームページを取材支援端末から受信し、この受信された取材者募集用ホームページに従って入力された応募データを取材支援端末に向けて送信するように制御する第３の制御手段を更に備えていることを特徴とする請求項１１記載の取材用携帯端末装置。
【請求項１７】
前記受信手段により取材依頼情報を受信するに先だって、インターネット上に掲載されている取材者募集用ホームページを取材支援端末から受信し、この受信された取材者募集用ホームページに従って入力された応募データと自己の端末の機器情報と併せて取材支援端末に向けて送信するように制御する第４の制御手段を更に備えていることを特徴とする請求項１１記載の取材用携帯端末装置。
【請求項１８】
前記受信手段により取材依頼情報を受信するに先だって、インターネット上に掲載されている取材者募集用ホームページを取材支援端末から受信し、この受信された取材者募集用ホームページに従って入力された応募データを取材支援端末に向けて送信した後、前記取材支援端末から取材者登録済み関連情報を受信するように制御する第５の制御手段を更に備えていることを特徴とする請求項１１記載の取材用携帯端末装置。
【発明の詳細な説明】
【０００１】
【発明の属する技術分野】
本発明は、携帯電話、パソコンなどの端末に用いて有用な取材支援装置及び取材用携帯端末装置に関する。
【０００２】
【従来の技術】
電子新聞をネットワークで供給する電子新聞サーバに、無線により接続された取材端末が有する画像入力手段により取材対象の撮影を行い、画像データを電子新聞サーバに送信する一方で、取材端末の位置情報、取材者が口頭で述べた音声メール形式の記事、取材端末の周辺温度等の環境データを同時に送信し、電子新聞サーバが受信したデータが、編集会議室で検討され、取材者への指示や、他の取材端末を有する取材者への応援依頼や、記事の電子新聞サーバによる発行が行われるようにした取材支援システム及び取材用携帯端末装置が開発されている（例えば、特開平８−３２２０９１号公報）。
この取材支援システム及び取材用携帯端末装置によれば、電子カメラ及びディジタルビデオは、取材現場の状況を映像情報として入力し、ディジタル信号とすることが出来、携帯端末が画像情報をサーバに転送することを可能とする。これにより従来携帯端末だけで入力し得る文字による原稿だけではなく、映像情報も入力し、サーバに転送するという、いわゆる基本的な取材機能を達成することが出来る。
【０００３】
また、現在位置検出手段は、取材者の所在地をいちいち取材者自身が言葉により報告することなく、自動的にサーバに報告することが出来、撮影した写真の現場位置や、取材者自身の行動追跡を行うことが出来る。
また、音声入力手段を持つことで、取材者が現場の取材中に、原稿の入力や電話をかけて相手が出るのを待つという時間のロスで、取材のタイミングを逸するということがなく、取材者は撮影しながら現場の状況をしゃべるだけで、通信に気を使うことなく取材に専念することが出来る。
【０００４】
また、サーバは携帯端末から送信された画像情報、音声メール情報、そして携帯端末の位置情報を受信する。サーバ側にいる記者は、この情報を用いて現場状況を判断し、ニュース原稿を作成して即時ニュースとして報道する。また、現場の状況により、現地の取材者に個別に行動指示を送って、例えば他の場所にいる取材者を応援に行かせるといった操作を可能とする。
一方、地域固定方式のライブカメラが知られている。地域固定方式のライブカメラを用いて遠隔地にいる者が遠隔操作で当該地域の現況を見ることを可能とする。
【０００５】
【発明が解決しようとする課題】
しかしながら、前述した従来の取材支援システム及び取材用携帯端末装置の場合、取材者は新聞社内のものに限られているので、殺傷事件、交通事故、火災といった取材対象事象がリアルタイムで変わっていく状況に対応し、迅速かつ確実な取材活動などを行えない
という課題があった。
また、地域固定方式のライブカメラの場合、ライブカメラは特定の地域に固定であり、遠隔者にとり有益な撮影画像等を迅速かつ確実に取得できないという課題があった。
【０００６】
そこで、本発明は、殺傷事件、交通事故、火災といった取材対象事象の中から、価値のある有効な取材情報を確保することが可能な、取材支援装置及び取材用携帯端末装置を提供することを目的とする。
また、本発明は、取材対象事象がリアルタイムで変わっていく状況に対応し、全国に所在する取材登録者の中から、取材対象事象の近傍位置に現存する取材者に対し迅速かつ確実な取材活動を依頼することが可能な、取材支援装置及び取材用携帯端末装置を提供することを目的とする。
また、本発明は、特定の地域に存在するカメラ付き携帯電話などの携帯端末の保有者から、有益な撮影画像などの情報を迅速かつ確実に取得できることが可能な、取材支援装置及び取材用携帯端末装置を提供することを目的とする。
【０００７】
【課題を解決するための手段】
本発明は、このような課題を達成するために、次のような特徴を備えている。
【０００８】
請求項１記載の発明に係る取材支援装置は、例えば、図１〜図９に示すように、取材対象場所に近い位置を検出する位置検出手段（図１のＣＰＵ６；ステップ９）と、この位置検出手段により検出された位置の近傍に携帯端末が現存しているか否かを検出する携帯端末現存検出手段（図１のＣＰＵ６；ステップ１０）と、この携帯端末現存検出手段により前記近傍に現存している携帯端末に向けて取材依頼情報を送信する送信手段（図１の送信部４ｂ；ステップ１１）と、この送信手段により送信された取材依頼情報に対応した取材情報を受信する受信手段（図１の受信部４ａ；ステップ１５）と、を備えていることを特徴とする。
請求項２記載の発明に係る取材支援装置は、例えば、ネットワークを介して複数の携帯端末と接続されている取材支援装置において、前記複数の携帯端末のなかから一つの第１の携帯端末からの特定場所における現在の状況に関する状況情報の配信要求を受信する第１の受信手段と、この第１の受信手段により受信された現在の状況に関する状況情報の配信要求に対応する特定場所の近傍に前記第１の携帯端末以外の第２の携帯端末が現存しているか否かを検出する携帯端末現存検出手段と、この携帯端末現存検出手段により前記近傍に現存している第２の携帯端末に向けて現在の状況に関する取材依頼情報を送信する送信手段と、この送信手段により送信された取材依頼情報に対応した取材情報を前記第２の携帯端末から受信する第２の受信手段と、を備えていることを特徴とする。
【０００９】
請求項１記載の発明によれば、取材対象場所に近い位置を検出し、この検出された位置の近傍に携帯端末が現存しているか否かを検出し、この結果、前記近傍に現存している携帯端末に向けて取材依頼情報を送信し、この送信された取材依頼情報に対応した取材情報を受信することができる。
請求項２記載の発明によれば、複数の携帯端末のなかから一つの第１の携帯端末からの特定場所における現在の状況に関する状況情報の配信要求を受信し、この受信された現在の状況に関する状況情報の配信要求に対応する特定場所の近傍に前記第１の携帯端末以外の第２の携帯端末が現存しているか否かを検出し、この結果、前記近傍に現存している第２の携帯端末に向けて現在の状況に関する取材依頼情報を送信し、この送信された取材依頼情報に対応した取材情報を前記第２の携帯端末から受信することができる。
【００１０】
請求項１１記載の発明に係る取材用携帯端末装置は、取材支援端末から送信された取材依頼情報を受信する受信手段（図１の受信部１１ａ；ステップ１２）と、この受信手段により受信された取材依頼情報に従って取材を行い、この取材結果である取材情報を前記取材支援端末に向けて送信する送信手段（図１の送信部１１ｂ；ステップ１３，Ｓ１４）と、を備えていることを特徴とする。
請求項１２記載の発明に係る取材用携帯端末装置は、ネットワークを介して取材支援端末と接続されている取材用携帯端末装置において、特定場所における現在の状況に関する状況情報の配信要求を送信する送信手段と、この送信手段により送信された現在の状況に関する状況情報に対応した取材情報を前記取材支援端末から受信する受信手段と、を備えていることを特徴とする。
【００１１】
請求項１１記載の発明によれば、取材支援端末から送信された取材依頼情報を受信し、この受信された取材依頼情報に従って取材を行い、この取材結果である取材情報を前記取材支援端末に向けて送信することができる。
請求項１２記載の発明によれば、特定場所における現在の状況に関する状況情報の配信要求を送信し、この送信された現在の状況に関する状況情報に対応した取材情報を前記取材支援端末から受信することができる。
【００１２】
【発明の実施の形態】
以下、図１〜図９を参照して本発明に係る取材支援システムの実施の形態について詳細に説明する。
図１は本実施の形態にかかる取材支援システムの全体を示す。
図１に示すように、取材支援システムＳは、複数の取材者（登録者）端末１、金融機関端末２、および、新聞社などの取材支援者のサーバー３を、通信手段またはネットワークであるインターネットＮを介して接続して構成されている。
【００１３】
取材支援者のサーバー３は、各部全体を制御するためのＣＰＵ６を中心として、取材者の取材者端末１からインターネットＮを介して取材者応募データおよび取材情報等を受信するための受信手段となる受信部４ａと、この受信部４ａにより受信した取材情報などを記憶するためのＲＡＭ５と、このＲＡＭ５に記憶された取材情報などに対応した処理結果、および、取材者端末１・金融機関端末２にインターネットＮを介して各種のデータ・情報を送信するための送信手段となる送信部４ｂとを備えている。なお、受信部４ａと送信部４ｂとで通信部４が構成されている。
このサーバー３は、更に、各種のデータを入力するための入力部７、各種のデータを表示するための表示部８、各種のデータを予め格納しているＲＯＭ９を備えている。
【００１４】
また、複数の取材者端末１は、各部全体を制御するためのＣＰＵ１０を中心として、自己の取材者端末１から取材支援者のサーバー３に向けて取材応募を行った後、取材者登録済み関連情報、取材依頼情報、報償金振込完了情報、および、金融機関端末２からの報償金振込完了情報などといった各種の情報を受信するための受信部１１ａと、取材支援者のサーバー３に向けて取材応募、取材情報などといった各種の情報を、インターネットＮを介して送信するための送信部１１ｂとをそれぞれ備えている。なお、受信部１１ａと送信部１１ｂとで通信部１１が構成されている。
【００１５】
この取材者端末１は、更に、各種のデータを入力するための入力部１３、各種のデータを表示するための表示部１４、各種のデータを予め格納しているＲＯＭ１５を備えている。
入力部１３は、取材者端末１自身の端末識別データを記憶する端末識別データ記憶部１３ａと、取材者端末１自身の現在位置を取得するための位置検出機能部１３ｂ、取材者端末１の周囲における取材対象を撮影するための撮影機能部１３ｃ、現在の日付、時刻、曜日といった時刻を計時するための時刻計時機能部１３ｄ、取材状況を新聞社に伝達するために使われる取材状況伝達機能部１３ｅを備えている。
端末識別データ記憶部１３ａは、端末の製造番号、電話番号、端末所有者名、端末名義人等の識別データを記憶している。位置検出機能部１３ａは、内蔵されているＧＰＳ、または携帯端末と基地局との通信状況から自己の現在位置を取得する現在位置取得部などから構成されている。撮影機能部１３ｂは、デジタルカメラ、デジタルビデオカメラといった電子的な撮影機能部から構成されている。時刻計時機能部１３ｃは、内蔵されている時刻計時部または標準電波時計などから構成されている。取材状況伝達機能部１３ｄは、相手先と音声で通話可能な通話部、ペンなどによる手書き操作で取材情報を入力可能な手書き入力部、キー操作で取材情報を入力可能なキーボード部などから構成されている。
【００１６】
また、金融機関端末２は、各部全体を制御するためのＣＰＵ２０を中心として、サーバー３からの報償金支払い依頼などを受信するための受信部２１ａと、この受信部２１ａから受信した情報などを記憶するためのＲＡＭ２２と、サーバー３からの報償金支払い依頼に対応した報償金を取材者の口座に振り込んだ後、取材者端末１及びサーバー３のうち少なくとも一方へ振込完了を、インターネットＮを介して送信するための送信部２１ｂとを備えている。なお、受信部２１ａと送信部２１ｂとで通信部２１が構成されている。
この金融機関端末２は、更に、各種のデータを入力するための入力部２３、各種のデータを表示するための表示部２４、各種のデータを予め格納しているＲＯＭ２５を備えている。
【００１７】
図３（Ａ）はサーバー３に備えられたＲＯＭ９を示す。このＲＯＭ９は、取材者募集用ＨＰ情報記憶領域９ａ、取材者登録済み関連情報記憶領域９ｂ、取材対象端末の近傍範囲情報記憶領域９ｃ、取材依頼情報記憶領域９ｄ、取材期限情報記憶領域９ｅ、および、報償金支払い依頼情報記憶領域９ｆを備えている。
【００１８】
取材者募集用ＨＰ情報記憶領域９ａは、取材者募集用の記事内容を記憶している。取材者登録済み関連情報記憶領域９ｂは、取材を応募した者に対して通知する取材者登録済み関連情報を記憶している。近傍範囲情報記憶領域９ｃは、取材対象位置との間の距離を測る際に使われる取材対象端末の近傍範囲情報を記憶している。取材依頼情報記憶領域９ｄは、登録済み取材者に対して取材依頼を行うための情報を記憶している。取材期限情報記憶領域９ｅは、登録済み取材者に対して通知する取材期限の情報を記憶している。この取材期限情報記憶領域９ｅは、新聞記事へ登載するまでに間に合う段階的な複数の時刻と、この段階的な複数の記事登載時刻に応じた報償金とを示す複数の時刻別金額リストを記憶している。段階的な複数の記事登載時刻は、取材対象発生から新聞記事へ登載するまでに間に合う時刻を複数の時間帯に分けたものであり、取材対象発生の初期段階では報償金額は高く、新聞記事へ登載のぎりぎりの段階では報償金額は安くなっている。報償金支払い依頼情報記憶領域９ｆは、金融機関に対して報償金支払いの依頼を行うための情報を記憶している。
【００１９】
図３（Ｂ）は取材者端末１に備えられたＲＯＭ１５を示す。このＲＯＭ１５は、使用機器情報である機器ＩＤ情報記憶領域１５ａ、位置検出機能情報記憶領域１５ｂ、撮影機能情報記憶領域１５ｃ、時刻計時機能情報記憶領域１５ｄ、取材状況伝達機能情報記憶領域１５ｅ、および、報償金支払い依頼情報記憶領域１５ｆを備えている。
【００２０】
機器ＩＤ情報記憶領域１５ａは、取材者端末１自体の機器ＩＤ、登録済みの撮影者名または所有者名も含む情報を記憶している。位置検出機能情報記憶領域１５ｂは、取材者端末１に内蔵されたＧＰＳなどにより、現在の位置または場所（緯度・経度・高度）を検出後、その検出された現在位置・場所を記憶している。撮影機能情報記憶領域１５ｃは、デジタルカメラまたはビデオカメラなどの機器の種類、機種名などの各種の情報を記憶している。時刻計時機能情報記憶領域１５ｄは標準電波で時刻を取得するのか、ＧＰＳなどの機器を用いて時刻を取得するのかを示すための情報を記憶している。取材状況伝達機能情報記憶領域１５ｅは、通話、手書き入力、キーボードなどどのような入力手段で取材状況を伝達するのかを示すための情報を記憶している。報償金支払い依頼情報記憶領域１５ｆは、金融機関に対して報償金支払いの依頼を行うための情報を記憶している。
【００２１】
図４（Ａ）（Ｂ）及び（Ｃ）は取材者端末１、金融機関端末２、および、サーバー３に備えられたＲＡＭ１２、ＲＡＭ５、ＲＡＭ２２を示す。
取材者端末ＲＡＭ１２は、登録画面記憶領域１２ａ、取材応募データ記憶領域１２ｂ、使用機器情報である機器ＩＤ情報記憶領域１２ｃ、位置検出機能情報記憶領域１２ｄ、撮影機能情報記憶領域１２ｅ、時刻計時機能情報記憶領域１２ｆ、取材状況伝達機能情報記憶領域１２ｇ、および、発信時刻記憶領域１２ｈを備えている。
【００２２】
登録画面記憶領域１２ａは、登録画面を記憶している。取材応募データ記憶領域１２ｂは、取材応募に必要なデータを記憶している。また、機器ＩＤ情報記憶領域１２ｃは、取材者端末１自体の機器ＩＤ、登録済みの撮影者名または所有者名も含む情報を記憶している。位置検出機能情報記憶領域１２ｄは、取材者端末１に内蔵されたＧＰＳなどにより、現在の位置または場所（緯度・経度・高度）を検出後、その検出された現在位置・場所を記憶している。撮影機能情報記憶領域１２ｅは、デジタルカメラまたはビデオカメラなどの機器の種類、機種名などの各種の情報を記憶している。時刻計時機能情報記憶領域１２ｆは標準電波で時刻を取得するのか、ＧＰＳなどの機器を用いて時刻を取得するのかを示すための情報を記憶している。取材状況伝達機能情報記憶領域１２ｇは、通話、手書き入力、キーボードなどどのような入力手段で取材状況を伝達するのかを示すための情報を記憶している。報償金支払い依頼情報記憶領域１２ｈは、金融機関に対して報償金支払いの依頼を行うための情報を記憶している。
【００２３】
サーバーＲＡＭ５は、金融機関契約情報記憶領域５ａ、取材者募集用ＨＰ情報記憶領域５ｂ、取材者登録別関連情報記憶領域５ｃ、取材対象端末の近傍範囲情報記憶領域５ｄ、取材依頼情報記憶領域５ｅ、取材期限情報記憶領域５ｆ、および、報償金支払い依頼情報記憶領域５ｇを備えている。
【００２４】
金融機関契約情報記憶領域５ａは、金融機関との間で取り交わされる契約情報を記憶する。取材者募集用ＨＰ情報記憶領域５ｂは、取材者募集用の記事内容を記憶する。取材者登録別関連情報記憶領域５ｃは、取材者として登録された取材者登録別の関連情報（例えば、登録者端末１からリアルタイムまたは定期的に送られる現在位置情報である緯度、経度、高度、この取材者を含む一般第三者からリアルタイムまたは定期的に送られてくる取材対象情報）を記憶する。近傍範囲情報記憶領域５ｄは、取材対象位置との間の距離を測る際に使われる取材対象端末の近傍範囲情報を記憶する。取材依頼情報記憶領域５ｅは、登録済み取材者に対して取材依頼を行うための情報を記憶する。取材期限情報記憶領域５ｆは、登録済み取材者に対して通知する取材期限の情報を記憶する。この取材期限情報記憶領域５ｇ、新聞記事へ登載するまでに間に合う段階的な複数の時刻と、この段階的な複数の記事登載時刻に応じた報償金とを示す複数の時刻別金額リストを記憶する。段階的な複数の記事登載時刻は、取材対象発生から新聞記事へ登載するまでに間に合う時刻を複数の時間帯に分けたものであり、取材対象発生の初期段階では報償金額は高く、新聞記事へ登載のぎりぎりの段階では報償金額は安くなっている。報償金支払い依頼情報記憶領域５ｈは、金融機関に対して報償金支払いの依頼を行うための情報を記憶する。
【００２５】
金融機関端末ＲＡＭ２２は、新聞社契約情報記憶領域２２ａ、報償金支払い依頼情報記憶領域２２ｂ、報償金振込情報記憶領域２２ｃを備えている。
新聞社契約情報記憶領域２２ａは、管理用のサーバー（例えば、新聞社）との間で取り交わされる契約情報を記憶する。報償金支払い依頼情報記憶領域２２ｂは、新聞社から金融機関への報償金支払い依頼情報を記憶する。報償金振込情報記憶領域２２ｃは、金融機関から取材者の口座への報償金の振込情報を記憶する。
【００２６】
図５は、取材者端末１、サーバー３、金融機関端末２における各処理を示す。まず、サーバー３は取材者募集用ＨＰ（ホームページ）をネット上に掲載し、図６（Ａ）に示すような、登録用フォーマットを表示する（ステップ１）。そこで、これをネット上で閲覧するため、取材希望者が取材者端末１を用いて、インターネットＮを介して、サーバー３にアクセスすると、サーバー３に表示されている登録用フォーマットがインターネットＮを介して、サーバー３へ送信される（ステップＳ１）。取材者端末１は登録用フォーマットを含む登録画面データを受信するとともに、ＲＡＭ１２内における記憶領域１２ａに登録画面データを格納する（ステップ２）。
取材者端末１において登録画面（図６（Ａ））が表示された後、取材希望者は「取材者募集」の説明に従って、取材希望者名、取材者端末１の機種名など記入する。
【００２７】
図６（Ａ）に示すように、受信された登録用フォーマット画像が登録画面として表示部１４に表示されている状態のもと、その登録フォーマット画像の中の「登録する」のソフトボタン１４ａがクリック操作されたか否かがＣＰＵ１０の働きにより判別される。「登録する」のソフトボタン１４ａがクリック操作されたと判別されると、図６（Ｂ）に示すように、確認画面として、登録フォーマット画像が表示部１４に表示される。
そこで、登録フォーマット画像が表示部１４に表示されている状態のもと、その登録フォーマット画像中の「確認」のソフトボタン１４ｂまたは「取消」ソフトボタン１４ｃがクリック操作されたか否かが判別される。もしも、「取消」ソフトボタン１４ｃがクリック操作されずに、申込を最終的に確認するための「確認」のソフトボタン１４ｂがクリック操作されたとＣＰＵ１０の働きにより判別され、この一連の操作の判定処理が完了する（ステップＳ３）。
【００２８】
この一連の操作の判定処理が完了すると、取材者端末１は、サーバー３へ以下のデータを送信する。すなわち、▲１▼応募データ、▲２▼使用機器情報、▲３▼確認操作時刻（発信時刻）Ｔ１である。▲１▼応募データは、今回の募集に対して応募する旨の意思内容であり、▲２▼使用機器情報は、取材者端末１のＲＯＭ１５における記憶領域１５ａまたはＲＡＭ１２内における記憶領域１２ｃに記憶されている端末ＩＤ、位置検出機能またはそれの有無、撮影機能またはそれの有無、時刻計時機能またはそれの有無、取材状況伝達機能またはそれの有無などであり、更に、▲３▼確認操作時刻（発信時刻）Ｔ１は、「確認」のソフトボタン１４ｂがクリック操作された時点における確認操作時刻（発信時刻）Ｔ１である。
【００２９】
サーバー３は、Ｓ４のステップ後、取材者端末１による応募者からの送信データを受信し、その送信データをＲＡＭ１２内における記憶領域１２ｂに格納する（ステップＳ５）。サーバー３は、その後、取材者端末１から送信された送信データとサーバー３における９に予め記憶されている機種名などとを比較し、取材者端末１自体が機材として取材適格性を備えているか否かが判別される。取材者端末１自体が機材としての取材適格性を備えていると判別されると、サーバー３は、図７（Ａ）に示すような取材者登録済み画面データを取材者登録済み関連情報として取材者端末１へ送信するとともに、ＲＡＭ５ｃへ取材者登録済み関連情報を格納する（ステップＳ５）。取材者端末１は、サーバー３から送られてきた取材者登録済み関連情報を受信する（ステップ７）。取材者端末１の取材希望者は、図７に示すような取材者登録済み画面データを見ることより自己が取材者として、サーバー３に登録されたことを知ることができる。
【００３０】
同様な方法で、全国または全世界の人々のうち、多数の取材者端末１からの応募に従って決められた数の取材者がサーバー３に登録されることとなる。これ以降、登録された複数の人々が取材者として取材活動を行うこととなる。
このような取材活動の結果、サーバー３が、取材者端末１を含む一般第三者からの取材対象情報を受信すると、この取材対象情報をＲＡＭ１２へ格納する（ステップ８）。サーバー３は、その後、一般第三者からの取材対象情報に基づいて取材対象位置を検出する（ステップ９）。取材対象位置は、一般第三者からの取材対象情報に含まれている取材者端末１の現在位置情報により検出される。
サーバー３は、その後、一般第三者からの取材対象位置近傍に他の取材者端末１が現存するか否かを判別する（ステップ１０）。この判別は、一般第三者からの取材対象情報に含まれている取材者端末１の現在位置情報と登録済みの取材者端末１からリアルタイムまたは定期的にサーバー３へ送信されている現在位置情報（取材登録者別関連情報記憶部５ｄに記憶されている現在位置情報）とに基づいて行われる。
取材対象位置近傍に他の取材者端末１が現存するか否かを判別は、取材の対象、種類などに応じて異なるが、この実施の形態では、一般第三者からの取材対象情報に含まれている取材者端末１の現在位置情報に対応する現在位置から見て、例えば、半径１キロメートル以内に現存する他の取材者端末１が現存するか否かを判別している。
【００３１】
サーバー３によるＳ１０の判別の結果、他の取材者端末１がまったく現存していない場合は、一般第三者からの取材対象情報に含まれている取材者端末１の現在位置情報に対応する現在位置から見て取材の範囲を拡大し、その拡大された範囲以内に現存する他の取材者端末１が現存するまでその判別を続ける。この結果、他の取材者端末１が現存することが判別されたならば、サーバー３は、現存する取材者端末１へ取材依頼情報を送信する（ステップ１１）。この取材依頼情報は、例えば、図７（Ｂ）に示すように、依頼内容と取材期限とを含む。
取材者端末１は、この取材依頼情報を図７（Ｂ）に示すような取材依頼画面データとして受信する（ステップ１２）。この受信の際は、緊急を要するので、取材者端末１は、それに備えられている音または振動などの報知部１００または表示部１４によるメッセージなどによる取材依頼情報にて報知する。
【００３２】
取材者端末１は、この取材依頼情報を確認したら、依頼内容と取材期限とが承諾可能か否かを自己判断し、「承諾」のソフトボタン１４ｅかまたは「拒否」のソフトボタン１４ｆかをクリック操作する。取材者端末１は、「承諾」のソフトボタン１４ｅまたは「拒否」ソフトボタン１４ｆがクリック操作されたか否かを判別する。もしも、「拒否」ソフトボタン１４ｆがクリック操作されずに、「承諾」のソフトボタン１４ｅがクリック操作されたと、ＣＰＵ１０の働きにより判別され、この一連の操作の判定処理が完了する（ステップＳ１２）。
取材者端末１の取材者による取材活動が開始される（ステップ１３）。取材活動の結果は、主に、デジタルカメラなどによる取材対象現場の撮影とその取材地名、現場状況の記述である。これらの取材情報は、図８（Ａ）に示す取材者端末１における８の取材画面を確認しながら、撮影画面の１２への格納、現場状況の手書きによる記述等を行う。なお、▲１▼取材地（位置・地名）、▲２▼取材時刻・期間、▲３▼取材者名（端末ＩＤ・撮影者名）、▲５▼機材情報は、１の取材者自身が１３にて入力して表示部１４に表示するようにしても良いが、取材者端末１の１５または１２に記憶されている記憶情報に基づいて、自動的に表示部１４へ表示するようにしても良い。
【００３３】
取材者端末１は、Ｓ１３における取材処理が完了したと思ったならば、図８（Ｂ）における「取材確認画面」を確認しながら、「送信」のソフトボタン１４ｈかまたは「戻る」のソフトボタン１４ｉかをクリック操作する。取材者端末１の１０は、「送信」のソフトボタン１４ｈまたは「拒否」ソフトボタン１４ｉがクリック操作されたか否かを判別する。もしも、「戻る」ソフトボタン１４ｉがクリック操作されずに、「送信」のソフトボタン１４ｈがクリック操作されたと、ＣＰＵ１０の働きにより判別され、この一連の操作の判定処理が完了する（ステップＳ１３）。
この一連の操作の判定処理が完了（ステップ１３における取材処理が完了）すると、Ｓ１４のステップに移行する。このＳ１４では、▲１▼取材情報、▲２▼送信操作時刻（発信時刻）Ｔ１がサーバー３に向けて送信される。▲１▼取材情報は、前述の取材対象現場の撮影、その取材地名、現場状況の記述などである。▲２▼送信操作時刻（発信時刻）Ｔ１は、図８（Ｂ）における「送信」のソフトボタン１４ｈがクリック操作された時点における取材者端末１の時刻計時機能部の時刻である。
【００３４】
サーバー３は、取材者端末１から送信された送信データと発信時刻Ｔ２とを受信する（ステップ１５）。サーバー３は、受信した送信データと発信時刻Ｔ１とをＲＡＭ９に格納する。また、サーバー３は、取材者端末２から送信されたデータが到着した到着時刻Ｔ２を記憶した後、取材者端末１から受信した内容である取材情報に基づいて記事を編集する。編集結果は、例えば、図９（Ａ）の「新聞記事画面例」で示すような画面である。この画面のうち、例えば、「不審船現場の撮影画像」は取材者端末１の取材者が撮影した画像であり、「撮影者：甲氏」「時刻」「場所」などは取材者端末１から受信した「使用機器情報」に基づく記述内容である。
サーバー３は、この編集結果である画面データを、取材者端末１を含むすべての配信契約者の端末に向けて送信する（ステップＳ１６）。配信契約者は、事前に新聞記事のリアルタイムでの配信契約をサーバー３との間において締結していた者である。
【００３５】
次に、サーバー３は、取材内容・到着時刻などに基づいて、取材情報の価値評価判断を行う。取材内容の良否は、サーバー３側での主観的な判断で決めるが、すべての配信契約者の端末に向けて取材情報を送信した後、すべての配信契約者の端末から取材内容の良否アンケートをサーバー３へ送り返してもらうシステムとなっているので、この良否アンケートの結果により取材内容の良否も参酌する。もちろん、サーバー側での主観的な判断で決めず、すべての配信契約者の端末に向けて取材情報を送信した後、すべての配信契約者の端末から取材内容の良否アンケートの結果にのみより取材内容の良否を判断しても良い。到着時刻Ｔ２は、取材者端末１からの取材情報のサーバー３への到着時刻であるが、この到着時刻Ｔ２が早いほど取材情報の価値評価が高くなる。
サーバー３は、このような取材情報の価値評価判断に従って、取材者端末１の取材者に対する報償金の支払い金額を決め、この報償金の支払い依頼を金融機関端末２へ通知する（ステップ１７）。
【００３６】
金融機関端末２は、この対応報償金の支払い依頼通知を受信する（ステップ１８）と、この依頼通知内容に従った報償金を取材者端末１の口座へ振り込むとともに、その報償金の振込完了通知を取材者端末１へ送信する（ステップ１９）。報償金の振込完了通知は、例えば、図９（Ｂ）における「報償金振込完了通知画面」であり、「報償金振込完了通知」と「説明文」とである。この場合、報償金の振込完了をサーバー３へ送信するようにし、サーバー３を経由して、報償金の振込完了を取材者端末１へ送信するようにしても良い。
サーバー３は、この報償金の振込完了を金融機関端末２またはサーバー３から受信すると、受信した報償金の振込完了を１２へ格納する（ステップ２０）。
【００３７】
この実施の形態では、取材者の端末１、サーバー３および金融機関端末３をインターネットＮを介して接続しておき、取材対象場所に近い位置を検出し（Ｓ９）、この検出された位置の近傍に携帯端末が現存しているか否かを検出し（Ｓ１０）、この結果、前記近傍に現存している携帯端末１に向けて取材依頼情報を送信し（Ｓ１１）、この送信された取材依頼情報に対応した取材情報を受信するようにしている（Ｓ１５）。しかしながら、この実施の形態に限られない。
【００３８】
例えば、ネットワークＮを介して複数の携帯端末１と接続されている取材支援装置であるサーバー３において、前記複数の携帯端末１、１のなかから一つの第１の携帯端末１からの特定場所における現在の状況に関する状況情報の配信要求を受信するための第１の受信手段である受信部４ａと、この受信部４ａにより受信された現在の状況に関する状況情報の配信要求に対応する特定場所の近傍に前記第１の携帯端末１以外の第２の携帯端末１が現存しているか否かを検出するための携帯端末現存検出手段と、この携帯端末現存検出手段により前記近傍に現存している第２の携帯端末に向けて現在の状況に関する取材依頼情報を送信する送信手段と、この送信手段により送信された取材依頼情報に対応した取材情報を前記第２の携帯端末から受信する第２の受信手段である受信部４ａとを備えるようにしてもよい。また、前記第２の受信手段により受信された現在の状況に関する取材情報に対応する報償金に関するデータを前記第２の携帯端末に向けて送信するように制御する第１の制御手段を更に備えるようにしても良い。
【００３９】
また、取材支援端末であるサーバー３から送信された取材依頼情報を受信する受信手段である受信部１１ａと、この受信部１１ａにより受信された取材依頼情報に従って取材を行い、この取材結果である取材情報を前記サーバー３に向けて送信する送信手段である送信部１１ｂと、を備えるようにしても良い。また、ネットワークＮを介して取材支援端末であるサーバー３と接続されている取材用携帯端末１において、特定場所における現在の状況に関する状況情報の配信要求を送信する送信手段である送信部１１ｂと、この送信部１１ｂにより送信された現在の状況に関する状況情報に対応した取材情報を前記サーバー３から受信する受信手段である受信部１１ａとを備えるようにしても良い。
【００４０】
また、この実施の形態では、取材者端末１、サーバー３等の端末は携帯パソコンを用いているが、これに限られず、例えば、ＰＤＡ、電子手帳、携帯電話などの他の携帯端末または電子機器でも良い。
【００４１】
【発明の効果】
以上説明したように、この発明によれば、次のような効果を奏することができる。
請求項１記載の発明によれば、取材対象場所に近い位置を検出し、この検出された位置の近傍に携帯端末が現存しているか否かを検出し、この結果、前記近傍に現存している携帯端末に向けて取材依頼情報を送信し、この送信された取材依頼情報に対応した取材情報を受信することができる。
請求項２記載の発明によれば、複数の携帯端末のなかから一つの第１の携帯端末からの特定場所における現在の状況に関する状況情報の配信要求を受信し、この受信された現在の状況に関する状況情報の配信要求に対応する特定場所の近傍に前記第１の携帯端末以外の第２の携帯端末が現存しているか否かを検出し、この結果、前記近傍に現存している第２の携帯端末に向けて現在の状況に関する取材依頼情報を送信し、この送信された取材依頼情報に対応した取材情報を前記第２の携帯端末から受信することができる。
【００４２】
請求項１１記載の発明によれば、取材支援端末から送信された取材依頼情報を受信し、この受信された取材依頼情報に従って取材を行い、この取材結果である取材情報を前記取材支援端末に向けて送信することができる。
請求項１２記載の発明によれば、特定場所における現在の状況に関する状況情報の配信要求を送信し、この送信された現在の状況に関する状況情報に対応した取材情報を前記取材支援端末から受信することができる。
【図面の簡単な説明】
【図１】本実施の形態にかかる取材支援システムの全体を示す全体ブロック図である。
【図２】取材者端末における入力部を示す図である。
【図３】（Ａ）及び（Ｂ）はサーバー及び取材者端末におけるＲＯＭの構成を示す図である。
【図４】（Ａ）（Ｂ）及び（Ｃ）は取材者端末、サーバー、及び金融機関端末におけるＲＡＭの構成を示す図である。
【図５】本実施の形態にかかる取材支援システムにおける各端末等の処理を示す図である。
【図６】（Ａ）及び（Ｂ）は取材者端末における応募登録画面と確認画面とを示す図である。
【図７】（Ａ）及び（Ｂ）は取材者端末における取材者登録済み画面と取材依頼画面とを示す図である。
【図８】（Ａ）及び（Ｂ）は取材者端末における取材画面及び取材確認画面を示す図である。
【図９】（Ａ）及び（Ｂ）は新聞記事画面例及び報償金振込完了通知画面を示す図である。
【符号の説明】
１　　　　　　　　　取材者端末
２　　　　　　　　　金融機関端末
３　　　　　　　　　サーバー
４ａ　　　　　　　　受信部
４ｂ　　　　　　　　送信部
５　　　　　　　　　ＲＡＭ
６、１０、２０　　　ＣＰＵ
７，１３，２３　　　入力部
８、１４，２４　　　表示部
９、１５，２５　　　ＲＯＭ
Ｎ　　　　　　　　　インターネット
【図１】
2004086694.tif 000003
【図２】
2004086694.tif 000004
【図３】
2004086694.tif 000005
【図４】
2004086694.tif 000006
【図５】
2004086694.tif 000007
【図６】
2004086694.tif 000008
【図７】
2004086694.tif 000009
【図８】
2004086694.tif 000010
【図９】
2004086694.tif 000011